(57)【要約】【課題】着脱可能な現像装置の廃トナー排出部の表面に付着した現像剤を掻き落として清掃することができるようにする。【解決手段】本発明に係る清掃ユニットは、現像装置における現像後の廃現像剤を排出する廃現像剤排出部を該現像装置の脱離のときに清掃する１又は複数の清掃部を備える。また、本発明に係る現像装置収納装置は、現像装置の着脱に連動して開閉可能な排出口を有する廃現像剤排出部を備える、着脱可能な１又は複数の現像装置を収納する現像装置収納装置において、各現像装置を着脱する１又は複数の着脱機構部と、着脱機構部による各現像装置の着脱に連動して、廃現像剤排出部の排出口の開閉を行なう１又は複数の排出口開閉機構部と、１又は複数の第１の本発明に係る清掃ユニットとを備える。【選択図】      図１
2016066010.tif 000002
【特許請求の範囲】
【請求項１】
現像装置における現像後の廃現像剤を排出する廃現像剤排出部を該現像装置の脱離のときに清掃する１又は複数の清掃部を備えることを特徴とする清掃ユニット。
【請求項２】
前記廃現像剤排出部が、開閉可能な排出口を有しており、
前記各清掃部は、前記排出口が閉状態にあるときの前記廃現像剤排出部を清掃することを特徴とする請求項１に記載の清掃ユニット。
【請求項３】
前記清掃部が、前記廃現像剤排出部の閉状態の排出口を含む排出口面を清掃する排出口面清掃部を有することを特徴とする請求項１又は２に記載の清掃ユニット。
【請求項４】
前記清掃部が、前記廃現像剤排出部の端面を清掃する端面清掃部を有することを特徴とする請求項１〜３のいずれかに記載の清掃ユニット。
【請求項５】
前記各清掃部が、回動可能なものであって、前記廃現像剤排出部の当接面を清掃する清掃部材を有することを特徴とする請求項１〜４のいずれかに記載の清掃ユニット。
【請求項６】
前記各清掃部が、前記清掃部材の一方向の回動を規制する回動規制部を有することを特徴とする請求項５に記載の清掃ユニット。
【請求項７】
前記各清掃部が、前記清掃部材に付着した廃現像剤を清掃する部材清掃部を有することを特徴とする請求項５又は６に記載の清掃ユニット。
【請求項８】
現像装置の着脱に連動して開閉可能な排出口を有する廃現像剤排出部を備える、着脱可能な１又は複数の現像装置を収納する現像装置収納装置において、
前記各現像装置を着脱する１又は複数の着脱機構部と、
前記着脱機構部による前記各現像装置の着脱に連動して、前記廃現像剤排出部の前記排出口の開閉を行なう１又は複数の排出口開閉機構部と、
請求項１〜７のいずれかに記載の１又は複数の清掃ユニットと
を備えることを特徴とする現像装置収納装置。
【請求項９】
前記排出口開閉機構部が、前記現像装置の前記廃現像剤排出部の有する被係合部と係合して前記排出口を開閉させる係合部を有するものであることを特徴とする請求項８に記載の現像装置収納装置。
【請求項１０】
前記排出口開閉機構部の前記係合部が溝部であって、
前記溝部が、当該溝部に存在する廃現像剤を排出する廃現像剤排出部を有することを特徴とする請求項９に記載の現像装置収納装置。
【請求項１１】
着脱可能な１又は複数の現像装置と、
請求項８〜１０のいずれかに記載の現像装置収納装置と
を備えることを特徴とする画像形成装置。
【発明の詳細な説明】
【技術分野】
【０００１】
本発明は、清掃ユニット、現像装置収納装置及び画像形成装置に関し、例えば、現像装置を取り外す際に、現像後の廃現像剤を排出する廃トナー排出部を清掃する清掃ユニット、現像装置収納装置及び画像形成装置に適用し得るものである。
【背景技術】
【０００２】
例えば、現像装置は、現像後の不要な廃現像剤（以下、廃トナーともいう。）を除去し、その廃トナーを廃トナー排出部まで搬送する。そして、廃トナー排出口が廃トナーを排出し、廃トナーは画像形成装置に設けられた廃トナー回収部に回収している。
【０００３】
従来、現像装置の廃トナー排出部には、例えば、廃トナーの排出部の外壁又は内壁にスライド可能なシャッターが設けられている。画像形成装置に現像装置を装着する際に、現像装置の廃トナー排出部はシャッター等により開口し、画像形成装置から現像装置を取り外す際に、現像装置の廃トナー排出部はシャッター等により閉口する構造となっている。
【先行技術文献】
【特許文献】
【０００４】
【特許文献１】特開平７−１９１５９１号公報
【発明の概要】
【発明が解決しようとする課題】
【０００５】
しかしながら、従来の現像装置の廃トナー排出部には、トナー飛散を防止するためにシャッターが設けられているが、廃トナー排出部から廃トナー回収部に廃トナーを受け渡す際に、廃トナー排出部又はその周辺にトナーが付着してしまうおそれがある。そのため、現像装置の着脱の際に、画像形成装置の内部を汚してしまうという問題が生じるおそれがあった。
【０００６】
そこで、本発明は、上記課題に鑑み、画像形成装置から着脱可能な現像装置の廃トナー排出部の表面に付着した現像剤を掻き落として清掃することができる清掃ユニット、現像装置収納装置及び画像形成装置を提供しようとするものである。
【課題を解決するための手段】
【０００７】
かかる課題を解決するために、第１の本発明に係る清掃ユニットは、現像装置における現像後の廃現像剤を排出する廃現像剤排出部を該現像装置の脱離のときに清掃する１又は複数の清掃部を備えることを特徴とする。
【０００８】
第２の本発明に係る現像装置収納装置は、現像装置の着脱に連動して開閉可能な排出口を有する廃現像剤排出部を備える、着脱可能な１又は複数の現像装置を収納する現像装置収納装置において、（１）各現像装置を着脱する１又は複数の着脱機構部と、（２）着脱機構部による各現像装置の着脱に連動して、廃現像剤排出部の排出口の開閉を行なう１又は複数の排出口開閉機構部と、（３）１又は複数の第１の本発明に係る清掃ユニットとを備えることを特徴とする。
【０００９】
第３の本発明に係る画像形成装置は、（１）着脱可能な１又は複数の現像装置と、（２）第２の本発明に係る現像装置収納装置とを備えることを特徴とする。
【発明の効果】
【００１０】
本発明によれば、着脱可能な現像装置の廃トナー排出部の表面付着した現像剤を掻き落として清掃することができ、画像形成装置の内部を汚してしまうことを改善することができる。
【図面の簡単な説明】
【００１１】
【図１】第１の実施形態に係る清掃ユニットの全体的な構成を示す全体構成図である。
【図２】第１の実施形態に係る画像形成装置の概略的な内部構成を示す内部構成図である。
【図３】第１の実施形態に係る現像装置の内部構成を側面から透視して見たときの側面断面図である。
【図４】第１の実施形態に係る現像装置の斜視図である。
【図５】図４に示す着脱機構部の構成を示す拡大図である。
【図６】第１の実施形態に係る現像装置の帯電ローラ側から見たときの外観図である。
【図７】第１の実施形態に係る廃トナー排出機構部の拡大図である。
【図８】図７のＰ−Ｐ線断面図である。
【図９】第１の実施形態に係る廃トナー排出機構部の廃トナー排出部が開口している状態と、閉口している状態とを示す図である。
【図１０】第１の実施形態に係る現像装置の着脱機構の構成を示す構成図である。
【図１１】第１の実施形態に係る現像装置収納部の構成を示す構成図である。
【図１２】第１の実施形態において、現像装置収納部の着脱機構部と、現像装置の着脱機構部との関係を説明する説明図である。
【図１３】第１の実施形態に係る現像装置収納部の廃トナー排出口開閉機構部と、現像装置の廃トナー排出機構部との関係を説明する説明図である。
【図１４】第１の実施形態に係るが端面清掃部の構成を示す構成図である。
【図１５】第１の実施形態に係る排出口面清掃部の構成を示す構成図である。
【図１６】第１の実施形態に係る現像装置を取り外すときの動作を説明する説明図である（その１）。
【図１７】第１の実施形態に係る現像装置を取り外すときの動作を説明する説明図である（その２）。
【図１８】第１の実施形態に係る現像装置を取り外すときの動作を説明する説明図である（その３）。
【図１９】第１の実施形態に係る現像装置を装着するときの動作を説明する説明図である。
【図２０】第２の実施形態に係る現像装置収納部の廃トナー排出口開閉機構部と、現像装置の廃トナー排出機構部との関係を説明する説明図である。
【図２１】第２の実施形態において、現像装置を画像形成装置に装着するときの動作を説明する説明図である。
【発明を実施するための形態】
【００１２】
（Ａ）第１の実施形態
以下では、本発明に係る清掃ユニット、現像装置収納装置及び画像形成装置の第１の実施形態を、図面を参照しながら詳細に説明する。
【００１３】
第１の実施形態では、例えば電子写真方式を採用したプリンタに本発明を適用する場合を例示する。第１の実施形態では、画像形成装置がカラープリンタである場合を例示するが、本発明はモノクロプリンタにも適用できる。
【００１４】
（Ａ−１）第１の実施形態の構成
（Ａ−１−１）画像形成装置の構成
図２は、第１の実施形態に係る画像形成装置の概略的な内部構成を示す内部構成図である。
【００１５】
図２において、第１の実施形態に係る画像形成装置１は、大別して、給紙部２、転写部３、定着部４、排紙部５を有する。
【００１６】
給紙部２は、主として、例えば用紙等の媒体７を収納する給紙トレイ６、給紙ローラ８を有する。給紙部２では、印刷実行の際に、給紙トレイ６に収納されている媒体７が給紙ローラ８により１枚ずつ繰り出され、その媒体７が搬送ローラ９によって転写部３に搬送される。
【００１７】
転写部３は、転写ベルト１０、現像装置１１、転写ローラ等を有する。転写部３は、搬送ローラ９によって転写ベルト１０に搬送されてきた媒体７上に、現像装置１１によって現像されたトナー像を転写する。トナー像が転写された媒体７は、転写ベルト１０によって定着部４に搬送される。
【００１８】
定着部４は、定着器１２を有する。定着部４では、定着器１２によって温度及び圧力が加えられて、媒体７上のトナーを媒体７上に定着する。トナー像が定着された媒体７は、排紙部５のスタッカー１３に排紙される。
【００１９】
（Ａ−１−２）現像装置１１の詳細な構成
図３は、第１の実施形態に係る現像装置１１の内部構成を側面から透視して見たときの側面断面図である。図３では、現像装置１１の上部にトナーカートリッジ２３が装着されている状態の図である。
【００２０】
なお、第１の実施形態に係る画像形成装置１は、それぞれ異なる色の現像剤（トナー）を使用する４個の現像装置１１を備える場合を例示している。それぞれの現像装置１１の内部構成は同一の構成を有するため、図３では、１個の現像装置１１の内部構成を例示している。
【００２１】
図３において、現像装置１１は、感光体ドラム１４、帯電ローラ１５、露光部１５１、現像ローラ１６、現像ブレード１７、供給ローラ１８、トナー収容室１９、クリーニングブレード２０、スパイラル２２、トナーカートリッジ２３、トナー供給口２４、撹拌フィルム２５、撹拌部材２６、トナー量検出センサ２７を有する。
【００２２】
帯電ローラ１５は、感光体ドラム１４の表面に圧接した状態で回転しながら、感光体ドラム１４の表面を一様に帯電するものである。
【００２３】
露光部１５１は、印刷データに基づく光を感光体ドラム１４の表面上に照射して、感光体ドラム１４の表面上を露光し、感光体ドラム１４の表面上に静電潜像を形成するものである。露光部１５１は、種々の露光装置を広く適用することができるが、例えば、ＬＥＤ（Light  Emitting  Diode）素子を有するものを適用することができる。
【００２４】
供給ローラ１８は、トナーカートリッジ２３からのトナーを現像ローラ１６に供給するものである。
【００２５】
現像ローラ１６は、感光体ドラム１４の表面と圧接した状態で回転しながら、供給ローラ１７から供給されたトナーを、感光体ドラム１４の表面上に移すものである。現像ローラ１６が感光体ドラム１４の表面上にトナーを移すことで、感光体ドラム１４の表面上に、現像剤像であるトナー像が形成される。
【００２６】
現像ブレード１７は、現像ローラ１６の長手方向に配設されている部材であり、現像ローラ１６の表面と当接しており、現像ローラ１６の表面上の残トナーを掻き取る部材である。現像ブレード１７によって掻き取られた残トナーは、後述するスパイラル２２によって廃トナー排出部２８（図４参照）に搬送される。
【００２７】
トナーカートリッジ２３は、現像剤であるトナーを収容するものである。トナーカートリッジ２３の内部には、現像装置１１の本体に対して着脱自在に配設されるものである。トナーカートリッジ２３の底部には、収容されているトナーを現像装置１１のトナー収容室１９に供給するトナー供給口２４が設けられている。また、トナーカートリッジ２３の内部には、トナーを撹拌し、トナーをトナー収容室１９に供給するための撹拌フィルム２５が設けられている。
【００２８】
トナー収容室１９は、トナーカートリッジ２３から供給されたトナーを収容する部分である。
【００２９】
トナー収容室１９には、当該トナー収容室１９内に供給されたトナーを撹拌する撹拌部材２６を有する。第１の実施形態では、２個の撹拌部材２６が設けられている場合を例示するが、撹拌部材２６の個数は特に限定されるものではない。撹拌部材２６は、トナー収容室１９内のトナーを効率よく安定的に供給ローラ１９の供給するために、供給ローラ１９に隣接させて配設している。
【００３０】
また、トナー収容室１９には、当該トナー収容室１９内に存在するトナー量を検出するトナー量検出部としてのトナー量検出センサ２７が設けられている。
【００３１】
クリーニングブレード２０は、感光体ドラム１４の長手方向に配設されている部材であって、感光体ドラム１４の表面上の残トナーを掻き取るものである。クリーニングブレード２０により掻き取られたトナーは、廃トナーとしてスパイラル２２により廃トナー排出部２８（図４参照）に搬送される。
【００３２】
スパイラル２２は、現像ブレード１７やクリーニングブレード２０によって掻き取られたトナーを廃トナー排出部２８（図４参照）に搬送するものである。スパイラル２２は、例えば螺旋状の部材であり、回転しながら廃トナーを廃トナー排出部２８に搬送する。
【００３３】
図４は、第１の実施形態に係る現像装置１１の斜視図である。図４では、トナーカートリッジ２３が現像装置１１から取り外された状態を示している。
【００３４】
図４において、現像装置１１は、両側面のうち一方の側面に、廃トナー排出部２８と、着脱機構部６０とを有する。
【００３５】
廃トナー排出部２３は、現像装置１１の内部に設けられているスパイラル２２（図３参照）により搬送されてきた廃トナーを、画像形成装置１の廃トナー回収部４０（図１０参照）に排出するものである。廃トナー排出部２３の詳細な構成は後述するが、廃トナー排出部２３は、現像装置１１が画像形成装置１に装着されているときには、廃トナーを排出する廃トナー排出口２１が開口し、現像装置１１が画像形成装置１から取り外されるときには、廃トナー排出口２１が閉口する構造となっている。
【００３６】
着脱機構部６０は、画像形成装置１に現像装置１１を装着する際、又は画像形成装置１から現像装置１１を取り外す際に、現像装置１１を収納する現像装置収納装置としての現像装置収納部３４との係合する部分である。
【００３７】
なお、特許請求の範囲に記載の現像装置収納装置は、現像装置収納部３４を含むものである。
【００３８】
図４に示すように、着脱機構部６０は、後述する現像装置収納部３４の被係合部６２と係合する係合部６１と、現像装置収納部３４のガイド部６４に誘導される被ガイド部６３とを有する。
【００３９】
図５は、図４に示す着脱機構部６０の構成を示す拡大図である。図５に示すように、係合部６１は、例えば略四角柱又は板状の突起を適用することができる。なお、係合部６１の形状は、図５に例示する略四角柱又は板状の突起に限定されるものではなく、例えば、円柱の突起や楕円柱の突起や多角柱の突起等としても良い。略四角柱の突起である係合部６１は、現像装置１１の本体に対して傾いて設けられている。そのため、後述する現像装置収納部３４の被係合部６２に係合部６１を挿入（係合）させるときには、現像装置１１を少し移動させながら、係合部６１を被係合部６２に挿入（係合）させることになる。
【００４０】
被ガイド部６３は、例えば円柱の部材を適用することができる。被ガイド部６３は、現像装置１１の着脱の際に、上述した係合部６１が現像装置収納部３４の被係合部６２と係合するときに、現像装置１１をスムースに着脱させるために誘導するものである。
【００４１】
図６は、現像装置１１の帯電ローラ１５側から見たときの外観図である。図７は、第１の実施形態に係る廃トナー排出機構部２８ａの拡大図である。図８は、図７のＰ−Ｐ線断面図である。図９は、廃トナー排出機構部２８ａの廃トナー排出部２８が開口している状態と、閉口している状態とを示す図である。
【００４２】
図６及び図７に示すように、廃トナー排出機構部２８ａは、現像装置１１の両側面のうち一方の側面に設けられており、廃トナー排出部２８、シャッター３０、付勢部材３１を有する。
【００４３】
付勢部材３１は、例えば、圧縮バネ等を用いることができる。付勢部材３１は、シャッター３０に対して弾性力を与えて、シャッター３０を開閉させるものである。
【００４４】
廃トナー排出部２８は、スパイラル２２により搬送された廃トナーを廃トナー回収部４０（図１０参照）に排出するものである。廃トナー排出部２８は、例えば円筒形状をしており、廃トナーを排出するため、廃トナー排出部２８の外周部の一部領域に、開口部である廃トナー排出口２１（図９（Ｂ）参照）を有している。
【００４５】
シャッター３０は、廃トナー排出部２８の一部領域を覆う円弧形状の部材とすることができ、廃トナー排出部２８の廃トナー排出口２１を開口又は閉口するものである。図８に示すように、シャッター３０の内壁面にはシール部材としてのシールスポンジ８１が設けられている。シールスポンジ８１は、廃トナー排出口２１に付着している廃トナーの漏れを防止するものである。また、図８に示すように、シャッター３０の外周面上には突起３３がある。
【００４６】
図７に示すように、廃トナー排出部２８は、当該廃トナー排出部２８の外周面上に、軸方向の溝部２９を有している。また、溝部２９は、図８に示すように、廃トナー排出部２８の外周面の反対側にも設けられている。すなわち、廃トナー排出部２８の外周面には、２個の溝部２９がある。さらに、図８に示すように、シャッター３０の端部は、廃トナー排出部２８の各溝部２９と係合する係合部３２を有する。
【００４７】
現像装置１１が画像形成装置１に装着されていないときには、シャッター３０は付勢部材３１により付勢され、開口部である廃トナー排出口２１を覆い、廃トナー排出口２１を閉口する構造となっている。
【００４８】
また、現像装置１１が画像形成装置１に装着されているときには、シャッター３０の突起３３が現像装置収納部３４に係止され、シャッター３０の係合部３２が溝部２９に案内されながら、図９（Ａ）の矢印Ａ方向（すなわち、廃トナー排出部２８の軸方向）にシャッター３０が移動する。このように、廃トナー排出口２１を覆っていたシャッター３０が移動することで、廃トナー排出口２１が開口する構造となっている。
【００４９】
なお、第１の実施形態では、シャッター３０が、廃トナー排出部２８の外周面にある廃トナー排出口２１を外側から覆うタイプの構成である場合を例示した。しかし、シャッター３０が、廃トナー排出部２８の内部に設けられており、廃トナー排出部２８の内壁に沿って移動して、廃トナー排出口２１を開口又は閉口する構成であっても良い。
【００５０】
（Ａ−１−３）現像装置の着脱機構について
図１０は、第１の実施形態に係る現像装置１１の着脱機構の構成を示す構成図である。図１１は、第１の実施形態に係る現像装置収納部３４の構成を示す構成図である。
【００５１】
画像形成装置１は、図１１に例示するようなバスケットタイプの現像装置収納部３４を有しており、図１０に示すように、現像装置収納部３４に現像装置１１が装着される。
【００５２】
図１０では、４個の現像装置１１が現像装置収納部３４に収納されている状態を示している。４個の現像装置１１は、同時に現像装置収納部３４に対して着脱可能なものである。また、図１０に示すように、現像装置１１に隣接する位置に、現像装置１１が排出する廃トナーを回収する廃トナー回収部４０が設けられている。
【００５３】
図１１において、現像装置収納部３４は、両端部のうち一方の端部に、現像装置１１の着脱機構部７０と、廃トナー排出口開閉機構部７５とを有する。つまり、現像装置収納部３４は、現像装置１１に設けられている着脱機構部６０及び廃トナー排出機構部２８ａと同じ側に、前記着脱機構部７０及び廃トナー排出口開閉機構部７５を有する。
【００５４】
図１２は、現像装置収納部３４の着脱機構部７０と、現像装置１１の着脱機構部６０との関係を説明する説明図である。
【００５５】
図１２において、現像装置収納部３４の着脱機構部７０は、現像装置１１の係合部６１と係合する被係合部６２と、現像装置１１の被ガイド部６３をガイドするガイド部６４とを有する。
【００５６】
被係合部６２は、現像装置１１の着脱の際に、突起である係合部６１を係合するものである。被係合部６２は、第１の板部材６２ａと、第２の板部材６２ｂとを有して構成されており、突起である係合部６１を挿抜可能なものである。被係合部６２は、第１の傾斜部６２１と、第１の傾斜部６２１と逆向きに傾斜している第２の傾斜部６２２と、第１の傾斜部６２１と同じ向きに傾斜している第３の傾斜部６２３とを有しており、屈曲したジグザグ形状を形成している。
【００５７】
ガイド部６４は、現像装置１１の着脱の際に、被ガイド部６３を誘導するものである。ガイド部６４は、第２の板部材６２Ｂを有して構成されており、鉛直部６４１と、傾斜部６４２とを有する。
【００５８】
図１２に示すように、被係合部６２は、ジグザグ形状をしている。そのため、現像装置１１を装着する場合、図１２の矢印方向Ｅに沿って、係合部６１を被係合部６２に挿入させる必要がある。つまり、第１の傾斜部６２１に沿って係合部６１を挿入するために、ユーザは現像装置１１を斜め方向に傾けて挿入する。次に、第２の傾斜部６２２に沿って係合部６１を移動させるために、ユーザは、現像装置１１を引き戻して挿入する。さらに、第３の傾斜部６２３に沿って係合部６１を移動させるために、ユーザは、再度現像装置１１を斜めに傾けて挿入する。
【００５９】
逆に、現像装置１１を取り外す場合、図１２の矢印方向Ｅとは逆向きの方向に沿って、係合部６１を被係合部６２から抜き取る必要がある。
【００６０】
上記のように、ユーザが現像装置１１を着脱する場合、矢印方向Ｅ又は矢印方向Ｅの逆方向に、現像装置１１を移動させる必要があり、この動きが、後述する廃トナー排出部２８の清掃を有効に寄与することになる。この廃トナー排出部２８の清掃との関係の詳細な説明は後述する。
【００６１】
図１３は、第１の実施形態における、現像装置収納部３４の廃トナー排出口開閉機構部７５と、現像装置１１の廃トナー排出機構部２８ａとの関係を説明する説明図である。
【００６２】
ここで、図１３は、シャッター３０に設けられている突起３３を図示している。図１３において、突起３３は、廃トナー排出部２８の円板面上に位置しているように見えるが、突起３３は図１２の方向からは目視できないシャッター３０の外周面上にあることに留意する。
【００６３】
図１３において、廃トナー排出口開閉機構部７５は、現像装置１１の廃トナー排出部２８のシャッター３０に設けられている突起３３を係止してシャッター３０を移動させて、廃トナー排出口２１を開口させるものである。これにより、廃トナー排出口２１から排出された廃トナーを廃トナー回収部４０に搬送し、廃トナーを回収することができる。
【００６４】
廃トナー排出口開閉機構部７５は、バスケットガイド３５、溝部３８、スポンジ４１１及び４１２、廃トナー送り出し部３９１を有する。
【００６５】
バスケットガイド３５は、後述する清掃ユニット１００の排出口面清掃部材１２１ｂ（図１５参照）を配置するものである。バスケットガイド３５は、例えば円弧形状をしており、その一部領域には、廃トナーの漏れを防止するためにスポンジ４１２が配設されている。なお、スポンジ４１２は、廃トナーの漏れを防止するためのものであり、廃トナー排出部２８の収納付近に設けられることが望ましい。
【００６６】
バスケットガイド３５の側面３５１には、シャッター３０に設けられている突起３３を誘導する溝部３８があり、突起３３が溝部３８に案内されながら、廃トナー排出部２８ａが廃トナー送り出し部３９１の上に位置するように収納される。
【００６７】
溝部３８は、図１３に示すように、バスケットガイド３５の側面３５１において、略Ｌ字状に形成されている。より具体的には、溝部３８は、略下方方向（図１３の矢印Ｂの方向）に延びる入出部３８１と、現像装置収納部３４の内側方向（図１３の矢印Ｃの方向）に向けて斜め下方向に傾斜する傾斜部３８２とを有する。
【００６８】
ここで、図１３及び図９を用いて、廃トナー排出機構部２８ａのシャッター３０が移動して、廃トナー排出口２１が開口する様子を説明する。
【００６９】
まず、廃トナー排出部２８ａが廃トナー送り出し部３９１の上に収納される際に、図１３の矢印Ｄの方向に沿って、突起３３が溝部３８に誘導される（図１３参照）。このとき、傾斜部３８２が現像装置収納部３４の内側に向けて斜め下方向に傾斜している。そのため、突起３３が傾斜部３８２に案内されることに連動して、突起３３が設けられているシャッター３０が図９（Ａ）の矢印Ａの方向に移動することになる。上記のようにして、シャッター３０が移動することで、廃トナー排出口２１が開口することになる。
【００７０】
廃トナー排出口開閉機構部７５の下には、廃トナー搬送経路３９と、この廃トナー搬送経路３９内の廃トナーを廃トナー回収部４０に導くスパイラル３７とを有する。
【００７１】
廃トナー排出部２８が廃トナー送り出し部３９１の上にセットされると、開口している廃トナー排出口２１から排出される廃トナーが落下して、廃トナーは廃トナー搬送経路３９内に送られる。廃トナー送り出し部３９１は、廃トナー排出口２１から落下する廃トナーを、廃トナー搬送経路３９に送り出せるように傾斜した部材であることが望ましい。
【００７２】
（Ａ−１−４）清掃ユニットの構成
図１は、第１の実施形態に係る清掃ユニット１００の全体的な構成を示す全体構成図である。
【００７３】
清掃ユニット１００は、図１１の現像装置収納部３４の着脱機構部７０及び廃トナー排出口開閉機構部７５の内側に設けられており、図１は現像装置収納部３４の内側から見たときの図を示している。
【００７４】
図１において、清掃ユニット１００は、各現像装置１１の廃トナー排出部２８ａ毎に設けられるものであり、図１では４個の清掃ユニット１００を設けている場合を示している。
【００７５】
清掃ユニット１００は、現像装置１１の着脱の際に、シャッター３０が閉じており、廃トナー排出口２１が閉口している状態で、廃トナー排出部２８に付着したトナーを掻き取るものである。これにより、現像装置１１の着脱の際に、廃トナー排出部２８に付着したトナーを清掃することができるため、トナーの飛び散りやユーザの手を汚すこと等を防止することができる。
【００７６】
清掃ユニット１００は、円筒形状の廃トナー排出部２８（図９参照）の廃トナー排出口２１を有する領域（すなわち、廃トナー排出部２８の排出口面）と、廃トナー排出部２８の円形端面とに付着したトナーを掻き取る。
【００７７】
以下では、廃トナー排出部２８の円形端面に付着したトナーを掻き取る部材を「端面清掃部１１０」と称し、円筒形状の廃トナー排出部２８（図９参照）の廃トナー排出口２１を有する領域に付着したトナーを掻き取る部材を「排出口面清掃部１２０」と称する。
【００７８】
なお、第１の実施形態では、清掃ユニット１００が、端面清掃部１１０及び排出口面清掃部１２０の両方を有する場合を例示する。しかし、清掃ユニット１００が端面清掃部１１０又は排出口面清掃部１２０のいずれかを有する場合も有効である。特に、清掃ユニット１００は、廃トナー排出口２１を有する排出面を清掃する排出口面清掃部１２０を有することが望ましい。
【００７９】
図１４は、第１の実施形態に係るが端面清掃部１１０の構成を示す構成図である。
【００８０】
図１４において、端面清掃部１１０は、端面清掃部材１１１、ローラ清掃部材１１２、係止部材１１３、ワンウェイシャフト１１４ａ、シャフト１１４ｂ、接続ネジ１１６ａ及び１１６ｂ、保持部材１１７、第１の支持部材１１８、第２の支持部材１１９を有する。
【００８１】
端面清掃部材１１１は、現像装置１１の着脱の際に、廃トナー排出部２８の端面に付着したトナーを掻き取り清掃するものである。端面清掃部材１１１は、例えば、芯金にスポンジ素材の部材を覆ったスポンジローラ等を適用することができる。なお、トナーを掻き取ることができれば、芯金を覆うものはスポンジ素材に限定されるものではなく、例えば、ゴム素材やウレタン等の部材を芯金で覆った部材を用いるようにしても良い。
【００８２】
端面清掃部材１１１は、当該端面清掃部材１１１の中心にワンウェイシャフト１１４ａを貫通させた状態で、保持部材１１７と第１の支持部材１１８との間に配置される。
【００８３】
なお、端面清掃部材１１１は、廃トナー排出部２８の端面に付着したトナーを清掃することができればよい。そのため、端面清掃部材１１１がローラ部材であることに限定されることはなく、例えば、端面清掃部材１１１がシート状のスポンジ素材の部材等であっても良い。
【００８４】
ローラ清掃部材１１２は、端面清掃部材１１１の表面に付着したトナーを掻き取り、端面清掃部材１１１の表面を清掃するものである。これにより、端面清掃部材１１１の表面に付着したトナーの２次的な飛び散り等を防止することができる。ローラ清掃部材１１２は、例えば、端面清掃部材１１１の下に、端面製造部材１１の表面と接するように配設される。これにより、端面清掃部材１１１の表面に付着したトナーを掻き取ることができる。
【００８５】
係止部材１１３は、ワンウェイシャフト１１４ａの被係止部材１１５と係止するものである。これにより、端面清掃部材１１１の一方向への回動を許容するが、逆方向への回動を規制することができる。
【００８６】
係止部材１１３は、例えば、シャフト１１４ｂを貫通させる円筒部材１１３ｂの表面に爪部１１３ａを有するものを用いることができる。そして、爪部１１３ａがワンウェイシャフト１１４ａの被係止部材１１５に係止することで、端面清掃部材１１１を固定することができる。係止部材１１３は、当該係止部材１１３の中心をシャフト１１４ｂが貫通した状態で、保持部材１１７と支持部材１１９との間に配置される。
【００８７】
シャフト１１４ｂは、係止部材１１３の中心を貫くものであり、接続ネジ１１６ｂで固定される。
【００８８】
ワンウェイシャフト１１４ａは、端面清掃部材１１１の中心を貫くものであり、接続ネジ１１６ａで固定される。ワンウェイシャフト１１４ａは、被係止部材１１５を有している。被係止部材１１５が係止部材１１３により係止されることにより、端面清掃部材１１１の一方向の回動のみ許容するが、逆方向の回動を規制することができる。
【００８９】
ここで、端面清掃部材１１１の回動を一方向のみとする点について説明する。廃トナー排出部２８ａを挿入するときに、端面清掃部材１１は回転可能であり、廃トナー排出部２８ａを抜き取るときに、端面清掃部材１１の回転は規制される。
【００９０】
これは、廃トナー排出部２８ａを抜き取るときには、端面清掃部材１１と廃トナー排出部２８ａとの当接面の摩擦力を大きくして、廃トナー排出部２８ａの端面に付着しているトナーの掻き取る力を大きくしている。一方、現像装置１１の複数回の着脱を行う場合、前回、トナーを掻き取った端面清掃部材１１１の表面領域にトナーが付着し、表面領域の一部がトナーで汚れることが生じ得る。廃トナー排出部２８ａが挿入される場合、端面清掃部材１１１は回転するため、トナーが付着していない端面清掃部材１１１の表面領域を、廃トナー排出部２８ａの端面と当接させることができる。これにより、再度、廃トナー排出部２８ａが抜き取られるときには、トナーが付着していない比較的きれいな表面領域で、廃トナー排出部２８ａの端面を清掃することができる。
【００９１】
図１５は、第１の実施形態に係る排出口面清掃部１２０の構成を示す構成図である。
【００９２】
図１５において、排出口面清掃部１２０は、排出口面清掃部材１２１ａ及び１２１ｂ、ワンウェイシャフト１２２ａ及び１２２ｂ、係止部材１２３ａ及び１２３ｂ、接続ネジ１２４ａ及び１２４ｂを有する。
【００９３】
図１５に示すように、排出口面清掃部１２０は、端面清掃部１１０の軸方向を含む平面に対して、排出口面清掃部１２０の軸方向が垂直となるように配置される。
【００９４】
排出口面清掃部材１２１ａ及び１２１ｂは、現像装置１１の着脱の際に、廃トナー排出部１８の廃トナー排出口２１を有する領域（排出口面）に付着したトナーを掻き取る清掃するものである。排出口面清掃部材１２１ａ及び１２１ｂはそれぞれ、例えば、芯金にスポンジ素材の部材を覆ったスポンジローラ等を適用することができる。なお、トナーを掻き取ることができれば、芯金を覆うものはスポンジ素材に限定されるものではなく、例えば、ゴム素材やウレタン等の部材を芯金で覆った部材を用いるようにしても良い。
【００９５】
現像装置１１の着脱の際、２個の排出口面清掃部材１２１ａ及び１２１ｂの間に、廃トナー排出部２８ａ（図９参照）が挿抜される。
【００９６】
後述するように、廃トナー排出部２８ａが抜き取られるとき、２個の排出口面清掃部材１２１ａ及び１２１ｂは回転しない。そのため、排出口面清掃部材１２１ａ及び１２１ｂと、廃トナー排出部２８ａとの間の摩擦力が高くなり、シャッター３０が閉じた状態の廃トナー排出部２８ａの表面に付着しているトナーを効果的に掻き取ることができる。
【００９７】
一方、廃トナー排出部２８ａが挿入されるときには、２個の排出口面清掃部材１２１ａ及び１２１ｂは回転可能となる。現像装置１１の複数回の着脱を行う場合、前回、トナーを掻き取った排出口面清掃部材１２１ａ及び１２１ｂの表面領域にトナーが付着し、表面領域の一部がトナーで汚れることが生じ得る。しかし、廃トナー排出部２８ａが挿入される場合、排出口面清掃部材１２１ａ及び１２１ｂは回転するため、トナーが付着していない排出口面清掃部材１２１ａ及び１２１ｂの表面領域を、廃トナー排出口２１付近に位置させることができる。これにより、再度、廃トナー排出部２８ａが抜き取られるときには、トナーが付着していない比較的きれいな表面領域で、廃トナー排出部２８ａの表面を清掃することができる。
【００９８】
なお、端面清掃部材１１１は、廃トナー排出部２８の端面に付着したトナーを清掃することができればよい。そのため、端面清掃部材１１１がローラ部材であることに限定されることはなく、例えば、端面清掃部材１１１がシート状又は板状のスポンジ素材の部材等であっても良い。
【００９９】
ワンウェイシャフト１２２ａ及び１２２ｂは、排出口面清掃部材１２１ａ及び１２１ｂの中心を貫くものであり、接続ネジ１２４ａ及び１２４ｂで固定される。ワンウェイシャフト１２２ａ及び１２２ｂはそれぞれ、被係止部材１２５ａ及び１２５ｂを有している。被係止部材１２５ａ及び１２５ｂが係止部材１２３ａ及び１２３ｂにより係止されることにより、排出口面清掃部材１２１ａ及び１２１ｂの一方向の回動を許容するが、逆方向の回動を規制することができる。
【０１００】
係止部材１２３ａ及び１２３ｂは、ワンウェイシャフト１２２ａ及び１２２ｂの被係止部材１２５ａ及び１２５ｂと係止するものである。これにより、排出口面清掃部材１２１ａ及び１２ａｂの一方向への回動を許容するが、逆方向への回動を規制することができる。
【０１０１】
係止部材１２３ａ及び１２３ｂは、例えば、円筒部材１２３２の表面に爪部１２３１を有するものを用いることができる。そして、爪部１２３１がワンウェイシャフト１２２ａ及び１２２ｂの被係止部材１２５ａ及び１２５ｂに係止することで、排出口面清掃部材１２１ａ及び１２１ｂの一方向の回動を固定する。
【０１０２】
なお、特許請求の範囲に記載の「回動規制部」は、係止部材１２３及び被係止部材１１５、係止部材１２３ａ及び１２３ｂと被係止部材１２５ａ及び１２５ｂを含む概念である。
【０１０３】
また、特許請求の範囲に記載の「部材清掃部」は、ローラ清掃部材１１２、ローラ清掃部材１２６ａ及び１２６ｂを含む概念である。
【０１０４】
（Ａ−２）第１の実施形態の動作
次に、第１の実施形態に係る画像形成装置１の現像装置１１を着脱させる際に、廃トナー排出部２８に付着したトナーを掻き取る清掃ユニット１００の動作を、図面を参照しながら詳細に説明する。
【０１０５】
（Ａ−２−１）現像装置を取り外すときの動作
まず、画像形成装置１から現像装置１１を取り外すときの着脱機構部６０及び７０の動作と、清掃ユニット１００の動作とを図面を参照して説明する。
【０１０６】
図１６〜図１８は、第１の実施形態に係る現像装置１１を取り外すときの動作を説明する説明図である。
【０１０７】
図１６は、現像装置１１が画像形成装置１の現像装置収納部３４に収納されている状態を示している。
【０１０８】
図１６（Ａ）に示すように、現像装置１１が現像装置収納部３４に収納されている状態では、端面清掃部材１１１は、廃トナー排出部２８の端面に当接している。
【０１０９】
このとき、廃トナー排出機構部２８ａはシャッター３０が開いており、廃トナー排出口２１が開口している。また、端面清掃部材１１１は、廃トナー排出部２８の端面の全面と当接している必要はなく、図１６（Ａ）に示すように、廃トナー排出部２８の端面上方の一部領域と当接していても良い。
【０１１０】
現像装置１１を現像装置収納部３４から取り外す際、現像装置１１がユーザにより上方向に持ち上げられる。
【０１１１】
このとき、図１６（Ｂ）に示すように、現像装置１１の着脱機構部６０の係合部６１が、被係合部６２に沿って、矢印Ｆ方向に移動する。より具体的には、被係合部６２を構成する第３の傾斜部に沿って、係合部６１が移動する。
【０１１２】
そうすると、廃トナー排出部２８ａは、図１６（Ａ）に示す位置から、図１７（Ａ）に示す位置に移動する。廃トナー排出部２８は、端面清掃部材１１１と当接している状態から、２個の排出口面清掃部材１２１ａ及び１２１ｂの間に位置する状態となる。
【０１１３】
ここで、廃トナー排出部２８が、図１６（Ａ）の位置から図１７（Ａ）の位置に移動するとき、同時に、シャッター３０の突起３３は溝部３８に沿って移動して、シャッター３０が閉じ、廃トナー排出口２１は閉口する（図１３参照）。
【０１１４】
また、図１６（Ａ）の位置から図１７（Ａ）の位置に、シャッター３０が閉じた状態の廃トナー排出部２８が移動すると、端面清掃部材１１１は、当接している廃トナー排出部２８の端面に付着しているトナーを掻き取り清掃する。
【０１１５】
このとき、端面清掃部１１０において、係止部材１１３が、ワンウェイシャフト１１４の被係止部材１１５に係止している。そのため、端面清掃部材１１１の回動は規制されている。したがって、端面清掃部材１１１と廃トナー排出部２８の端面との間の摩擦力が高くなり、端面清掃部材１１１は廃トナー排出部２８の端面に付着しているトナーを掻き取ることができる。
【０１１６】
さらに、図１７（Ａ）において、２個の排出口面清掃部材１２１ａ及び１２１ｂは、係止部材１２３ａ及び１２３ｂが被係止部１２５ａ及び１２５ｂに係止している。したがって、回動が規制されている２個の排出口面清掃部材１２１ａ及び１２１ｂの間に、廃トナー排出部２８が位置する。つまり、排出口面清掃部材１２１ａの中心軸と排出口面清掃部材１２１ｂの中心軸との中間点付近に、廃トナー排出部２８の中心点が位置する。
【０１１７】
図１７（Ａ）及び図１７（Ｂ）において、廃トナー排出部２８が２個の排出口面清掃部材１２１ａ及び１２１ｂの間にある状態で、現像装置１１の着脱機構部６０に係合部６１が第２の傾斜部６２２にぶつかる。したがって、図１７（Ｂ）の矢印Ｇの方向に、係合部６１が第２の傾斜部６２２に沿って移動する。
【０１１８】
このとき、廃トナー排出部２８は、図１７（Ａ）に示す位置で、廃トナー排出部２８の中心点を軸として矢印Ｈの方向に回転する。
【０１１９】
つまり、回動が規制されている２個の排出口面清掃部材１２１ａ及び１２１ｂの中間に位置している状態で、廃トナー排出部２８が矢印Ｈの方向に回転する。その結果、廃トナー排出部２８の排出口面に付着しているトナーが、２個の排出口面清掃部材１２１ａ及び１２１ｂにより掻き取られる。
【０１２０】
そして、図１８に示すように、着脱機構部６０の係合部６１が、第１の傾斜部６２１に沿って、矢印Ｍ方向に移動する。同時に、廃トナー排出部２８が２個の排出口面清掃部材１２１ａ及び１２１ｂから抜き取られ、現像装置１１が現像装置収納部３４から取り外される。
【０１２１】
（Ａ−２−２）現像装置を装着するときの動作
次に、現像装置１１を画像形成装置１に装着するときの着脱機構部６０及び７０の動作と、清掃ユニット１００の動作とを図面を参照して説明する。
【０１２２】
現像装置１１の装着動作は、基本的には、上述した現像装置１１の取り外し動作の逆向きの動作となるので、詳細な説明は省略する。
【０１２３】
しかし、清掃ユニット１００の端面清掃部材１１１と、排出口面清掃部材１２１ａ及び１２１ｂとは回転可能となる点で異なる。
【０１２４】
したがって、以下では、廃トナー排出部２８が、回転可能な排出口面清掃部材１２１ａ及び１２１ｂの間に挿入されるときの動作を中心に説明する。
【０１２５】
図１９は、第１の実施形態に係る現像装置１１を装着するときの動作を説明する説明図である。図１９は、廃トナー排出部２８が、２個の排出口面清掃部材１２１ａ及び１２１ｂの間に位置している状態を示している。
【０１２６】
図１９において、廃トナー排出部２８が、２個の排出口面清掃部材１２１ａ及び１２１ｂと接触しながら通過するとき、廃トナー排出部２８の排出口面は、２個の排出口面清掃部材１２１ａ及び１２１ｂと摩擦が生じる。
【０１２７】
そのため、２個の排出口面清掃部材１２１ａ及び１２１ｂはそれぞれ、矢印「Ｉ１」方向及び矢印「Ｉ２」方向に回転する。その結果、排出口面清掃部材１２１ａ及び１２１ｂのトナーが付着している表面領域が送り出される。
【０１２８】
ここで、排出口面清掃部材１２１ａ及び１２１ｂのそれぞれの下方に、ローラ清掃部材１２６ａ及び１２６ｂを配設するようにしても良い。回転する排出口面清掃部材１２１ａはローラ清掃部材１２６ａと擦れ合い、ローラ清掃部材１２６ａが、排出口面清掃部材１２１ａの表面に付着しているトナーを掻き取ることができる。同様に、ローラ清掃部材１２６ｂが、回転する端面清掃部材１２１ｂの表面に付着しているトナーを掻き取ることができる。
【０１２９】
また、２個の排出口面清掃部材１２１ａ及び１２１ｂを通過した廃トナー排出部２８の端面が、端面清掃部材１１１と接触しながら通過すると、廃トナー排出部２８の端面は、端面清掃部材１１１と摩擦が生じる。
【０１３０】
そのため、端面清掃部材１１１は、矢印Ｊ方向に回転する。その結果、端面清掃部材１１１のトナーが付着している表面領域が送り出され、廃トナー排出部２８の端面と当接する表面表域は、トナーが付着していないものとなる。
【０１３１】
ここで、回転する端面清掃部材１１１はローラ清掃部材１１２と擦れ合い、ローラ清掃部材１１２が、端面清掃部材１１１の表面に付着しているトナーを掻き取ることができる。
【０１３２】
なお、ローラ清掃部材１２６ａ、１２６ｂ及び１１２により掻き取られたトナーは、廃トナー搬送経路３９に落下して回収される。
【０１３３】
（Ａ−３）第１の実施形態の効果
以上のように、第１の実施形態によれば、現像装置の装着するときに、廃トナー排出部が清掃部材間を通過するとき、清掃部材に付着したトナーを清掃部材清掃部材が清掃することができる。
【０１３４】
また、第１の実施形態によれば、現像装置を取り外すときに、廃トナー排出部が清掃部材間を通過するとき、廃トナー排出部の表面に付着しているトナーを清掃部材が清掃することができる。
【０１３５】
その結果、現像装置の着脱におけるトナー汚れが防止可能であり、クリーンハンド性向上の効果が期待できる。
【０１３６】
（Ｂ）第２の実施形態
次に、本発明に係る清掃ユニット、現像装置収納装置及び画像形成装置の第２の実施形態を、図面を参照しながら詳細に説明する。
【０１３７】
（Ｂ−１）第２の実施形態の構成
第２の実施形態は、現像装置収納部３４の廃トナー排出口開口機構の構成が、第１の実施形態と異なる。
【０１３８】
それ以外の現像装置１１及び現像装置収納部３４の構成は第１の実施形態と同一又は対応するものを用いることができる。そのため、第２の実施形態においても、図１〜図１２及び図１４〜図１９に示す構成を適用し、第１の実施形態と同じ構成要素には同一符号を付して説明する。
【０１３９】
図２０は、第２の実施形態に係る現像装置収納部３４の廃トナー排出口開閉機構部７５と、現像装置１１の廃トナー排出機構部２８ａとの関係を説明する説明図である。
【０１４０】
図２０において、廃トナー排出口開閉機構部７５は、バスケットガイド３５、溝部３８Ａ、スポンジ４１１、廃トナー送り出し部３９１を有する。
【０１４１】
第２の実施形態では、溝部３８Ａの構成が第１の実施形態と異なり、それ以外の構成要素は、第１の実施形態の構成要素と同一又は対応するものである。従って、ここでは、溝部３８Ａの構成を中心に詳細に説明し、それ以外の構成要素の詳細な説明は省略する。
【０１４２】
溝部３８Ａは、第１の実施形態と同様に、廃トナー排出機構部２８ａのシャッター３０の突起３３を案内するものである。溝部３８Ａは、入出部３８１と、傾斜部３８２、トナー排出部３８３を有する。
【０１４３】
トナー排出部３８３は、傾斜部３８２の突き当り部に設けられた、前記傾斜部３８２よりも溝幅が狭い溝である。トナー排出部３８３は、傾斜部３８２の突き当り部から廃トナー搬送経路３９に亘って設けられている。
【０１４４】
これは、現像装置１１を装着する際、回転可能な排出口面清掃部材１２１ａ又は１２１ｂの表面に付着しているトナーを、ローラ清掃部材１２６ａ又は１２６ｂが掻き取る。
【０１４５】
このとき、排出口面清掃部材１２１ａ又は１２１ｂの表面から落下したトナーや、また端面清掃部材１１１の表面に付着しているトナーが、溝部３８Ａに入り込む可能性がある。また、シャッター３０の突起３３が溝部３８Ａに沿って案内されるときに、突起３３が溝部３８Ａの奥の方にトナーを押し込んでしまい、溝部３８Ａにトナーが溜まってしまうことも生じ得る。
【０１４６】
さらに、溝部３８Ａにトナーが詰まっていることにより、シャッター３０が開かず、誤作動を示すアラーム等が出される結果にもなり得る。
【０１４７】
そこで、第２の実施形態では、溝部３８Ａがトナー排出部３８３を有することにより、溝部３８Ａに溜まったトナーを廃トナー搬送経路３９に排出できる。
【０１４８】
ここで、トナー排出部３８３の溝幅は、入出部３８１及び傾斜部３８２の溝幅よりも狭いものとすることが望ましい。これは、溝部３８Ａに係合している突起３３が傾斜部３８２の突き当り部で停止（ストップ）できるようにするためである。
【０１４９】
突起３３の直径を「Ｘ１」、入出部３８１及び傾斜部３８２の溝幅を「Ｘ２」、トナー排出部３８３の溝幅を「Ｘ３」とするとき、シャッター３０の突起３３の直径と、入出部３８１及び傾斜部３８２の溝幅と、トナー排出部３８３の溝幅との関係は、以下の関係であることが望ましい。
Ｘ２＞Ｘ１＞Ｘ３      …（１）
【０１５０】
上記（１）の関係によれば、溝部３８Ａに係合している突起３３が傾斜部３８２の突き当り部でストップさせることができる。
【０１５１】
（Ｂ−２）第２の実施形態の動作
次に、第２の実施形態において、現像装置１１を画像形成装置１に装着するときの動作を、図面を参照して説明する。
【０１５２】
第２の実施形態では、現像装置１１を画像形成装置１から取り外すときの動作は、第１の実施形態と同様であるため、ここでの詳細な説明は省略する。
【０１５３】
図２１は、第２の実施形態において、現像装置１１を画像形成装置１に装着するときの動作を説明する説明図である。図２１は、廃トナー排出部２８が、２個の排出口面清掃部材１２１ａ及び１２１ｂの間に位置している状態を示している。
【０１５４】
図２１において、廃トナー排出部２８が２個の排出口面清掃部材１２１ａ及び１２１ｂと接触しながら通過するとき、２個の排出口面清掃部材１２１ａ及び１２１ｂはそれぞれ、矢印「Ｉ１」方向及び矢印「Ｉ２」方向に回転する。
【０１５５】
回転する排出口面清掃部材１２１ａ及び１２１ｂはそれぞれ、ローラ清掃部材１２６ａ及び１２６ｂと擦れ合い、排出口面清掃部材１２１ａの表面に付着しているトナーが落下する。
【０１５６】
また、２個の排出口面清掃部材１２１ａ及び１２１ｂを通過した廃トナー排出部２８の端面が、端面清掃部材１１１と接触しながら通過すると、端面清掃部材１１１は、矢印Ｊ方向に回転する。
【０１５７】
その後、シャッター３０の突起３３が溝部３８Ａに係合しながら案内されて、シャッター３０が開き、廃トナー排出口２１が開口する。
【０１５８】
このとき、溝部３８Ａに溜まっていたトナーは、突起３３に押されて溝部３８Ａのトナー排出部３８３に送られる。そして、トナーは、トナー排出部３８３を辿って矢印Ｋ方向に滑り落ち、廃トナー搬送経路３９に落下して回収される。
【０１５９】
（Ｂ−３）第２の実施形態の効果
以上のように、第２の実施形態によれば、第１の実施形態の効果を奏することに加えて、清掃部材から落下したトナーが、溝部に蓄積することを防ぐことができる。その結果、現像装置の装着の際、溝部にトナーが詰まることによるシャッター開閉時の誤動作防止を期待できる。
【０１６０】
（Ｃ）他の実施形態
上述した第１及び第２の実施形態においても種々の変形実施形態を言及したが、本発明は、以下の変形実施形態も適用することができる。
【０１６１】
（Ｃ−１）上述した第１及び第２の実施形態では、画像形成装置が、プリンタである場合を例示して説明したが、本発明に係る画像形成装置は、複写機、ＦＡＸ装置、ＭＦＰ（マルチファンクショナルペリフェラル）等に広く適用することができる。
【０１６２】
（Ｃ−２）上述した第１及び第２の実施形態では、清掃ユニットの各清掃部（排出口面清掃部、端面清掃部）が、ワンウェイシャフトの被係止部材に係止する係止部材を備え、清掃部材（排出口面清掃部材、端面清掃部材）の一方向の回転を規制する場合を例示した。しかし、清掃部材が両方向に回転する場合でも、清掃部材が廃トナー排出部の表面を清掃することができるため、清掃部は、係止部材及び被係止部材を備えず、両方向に回転を許容するものであっても良い。
【０１６３】
（Ｃ−３）上述した第１及び第２の実施形態で説明した清掃ユニットは、現像装置収納部に設けられる場合を例示した。しかし、清掃ユニットは、現像装置の廃トナー排出機構部側に一体的に設けられるようにしても良い。つまり、現像装置の廃トナー排出機構部の一部として清掃ユニットを有するものとしても良い。
【符号の説明】
【０１６４】
１…画像形成装置、１１…現像装置、２８ａ…廃トナー排出機構部、２８…廃トナー排出部、２１…廃トナー排出口、３０…シャッター、３３…突起、３４…現像装置収納部、３８及び３８Ａ…溝部、
１００…清掃ユニット、１１０…端面清掃部、１１１…端面清掃部材、１１２…ローラ清掃部材、１１３…係止部材、１１５…被係止部材、１２０…排出口面清掃部、１２１ａ及び１２１ｂ…排出口面清掃部材、１２３ａ及び１２３ｂ…係止部材、１２５ａ及び１２５ｂ…被係止部材、１２６…ローラ清掃部材。
【図１】
2016066010.tif 000003
【図２】
2016066010.tif 000004
【図３】
2016066010.tif 000005
【図４】
2016066010.tif 000006
【図５】
2016066010.tif 000007
【図６】
2016066010.tif 000008
【図７】
2016066010.tif 000009
【図８】
2016066010.tif 000010
【図９】
2016066010.tif 000011
【図１０】
2016066010.tif 000012
【図１１】
2016066010.tif 000013
【図１２】
2016066010.tif 000014
【図１３】
2016066010.tif 000015
【図１４】
2016066010.tif 000016
【図１５】
2016066010.tif 000017
【図１６】
2016066010.tif 000018
【図１７】
2016066010.tif 000019
【図１８】
2016066010.tif 000020
【図１９】
2016066010.tif 000021
【図２０】
2016066010.tif 000022
【図２１】
2016066010.tif 000023